(57)【要約】【課題】金属板材料や基板の配線面を有効に使用できること。【解決手段】保持部１３と、該保持部１３の幅方向である第１の方向Ｘを直交する第２の方向へ延在しかつ互いに前記第１の方向Ｘで隣接している一対のフック部１５とを有し、前記フック部１５は、バネ部１５ａとロック部１５ｂとを有し、該ロック部１５ｂは、接続対象物４１の貫通穴４１ａに挿通し前記接続対象物４１の反対面に係止するように互いに反対向きに突出している係止部１５ｃを有し、前記フック部１５が前記保持部１３の板厚方向である第３の方向Ｚにおいて互いに反対向きに曲げられている。【選択図】      図１
2004296220.tif 000002
【特許請求の範囲】
【請求項１】
インシュレータを有するコネクタを接続対象物に搭載して前記接続対象物に固定する固定部材において、前記インシュレータに保持する平板形状の保持部と、該保持部の一辺から前記保持部の幅方向である第１の方向を直交する第２の方向へ延在しかつ互いに前記第１の方向で隣接している一対のフック部とを有し、一対の前記フック部は、前記保持部の一辺から前記第２の方向へ延びているバネ部と、該バネ部の延在端から前記第２の方向へ延びているロック部とを有し、一対の前記フック部における該ロック部は、前記接続対象物の貫通穴に挿通し前記接続対象物の反対面に係止するよう前記第１の方向で互いに反対向きに突出している係止部を有し、一対の前記フック部が前記保持部の板厚方向である第３の方向において互いに反対向きに曲げられていることを特徴とする固定部材。
【請求項２】
請求項１記載の固定部材において、一対の前記フック部の前記バネ部が前記保持部の一辺から互いに前記第３の方向において反対の向きに傾斜して曲げられており、一対の前記フック部における前記ロック部が互いに前記第３の方向において互いに平行に対向していることを特徴とする固定部材。
【請求項３】
請求項１記載の固定部材において、一対の前記係止部における前記第１の方向の幅寸法は、前記貫通穴の前記第１の方向における最大幅寸法となる部分のみを通過可能な幅寸法に設定されていることを特徴とする固定部材。
【請求項４】
請求項１記載の固定部材において、一対の前記フック部は、金属製の平板を打ち抜き加工した一つの板状を呈する部分を、前記第１の方向でシャー加工を施すことによって２分割することにより形成されていることを特徴とする固定部材。
【発明の詳細な説明】
【０００１】
【発明の属する技術分野】
本発明は、コネクタと接続対象物とを固定するために用いる固定部材に属する。
【０００２】
【従来の技術】
従来、コネクタをプリント配線基板のような基板に搭載し、コネクタと基板とを固定するための固定部材がある。図４に示すように、従来のコネクタ１００は、インシュレータ１０３と、インシュレータ１０３に保持されている導電性のコンタクト１０５とを有している。
【０００３】
インシュレータ１０３には固定部１０７が形成されており、固定部１０７に平板形状の固定部材１０９が固定されている。固定部１０７には、固定部材１０９を固定するための固定用穴１１１が形成されている。
【０００４】
固定部材１０９は、固定用穴１１１に圧入されて保持される保持部１１３と、保持部１１３の一側から延びている一対のフック部１１５とを有している。フック部１１５の先端部分には、係止部１１７が形成されている。係止部１１７は、基板２１０に形成されている貫通穴２１３を通して基板２１０に係止される。一対のフック部１１５は、係止部１１７が基板２１０の貫通穴２１３を通過するときに、係止部１１７が内側へ変位することによって係止部１１７が貫通穴２１３を通過した後、基板２１０の反対面に対向して係止される。
【０００５】
また、コンタクト１０５は、基板２１０に形成されているコンタクト貫通穴２１５を貫通させて、基板２１０の反対面で図示しない配線に半田２１９によって半田付け接続される（例えば、特許文献１参照）。
【０００６】
【特許文献１】
特開昭６３−１５８７６５号公報（第２−３頁、図４）
【０００７】
【発明が解決しようとする課題】
しかしながら、フック部１１５の係止部１１７は、貫通穴２１３を通過するときにフック部１１５とともに係止部１１７が互いに近づく向きに変位するので、変位する幅Ｗを確保しておくために、大きなスペース（変位する幅Ｗ）が必要であることから、金属板をプレス加工にて打ち抜き加工して固定部材１０９を作った後に、金属板材料に多くの廃材としての無駄が生じるという問題がある。
【０００８】
また、貫通穴２１３は、変位する幅Ｗを確保しておくために、おおきなスペース（変位幅Ｗ）が必要であることから、大きな穴となるので基板２１０の反対面のスペースを有効に使用したいが、貫通穴２１３が大きな穴であるために配線や電子部品を実装するのためのスペース領域が減少してしまうという問題がある。
【０００９】
それ故に本発明の課題は、金属板材料を減らすことができ、基板のスペースを多く利用でき、しかもコンパクトな固定部材を提供することにある。
【００１０】
【課題を解決するための手段】
本発明によれば、インシュレータを有するコネクタを接続対象物に搭載して接続対象物に固定する固定部材において、前記インシュレータに保持する平板形状の保持部と、該保持部の一辺から前記保持部の幅方向である第１の方向を直交する第２の方向へ延在しかつ互いに前記第１の方向で隣接している一対のフック部とを有し、一対の前記フック部は、前記保持部の一辺から前記第２の方向へ延びているバネ部と、該バネ部の延在端から前記第２の方向へ延びているロック部とを有し、一対の前記フック部における該ロック部は、前記接続対象物の貫通穴に挿通し前記接続対象物の反対面に係止するよう前記第１の方向で互いに反対向きに突出している係止部を有し、一対の前記フック部が前記保持部の板厚方向である第３の方向において互いに反対向きに曲げられていることを特徴とする固定部材が得られる。
【００１１】
【発明の実施の形態】
以下に、本発明に係る固定部材の一実施の形態例を説明する。図１は、一実施の形態例における固定部材をコネクタに装着し、コネクタがプリント配線基板のような基板に搭載されている状態を示している。図２は、図１に示した固定部材を示している。図３は、図１に示した固定部材を基板の反対面から見た状態を示している。
【００１２】
図１乃至図３を参照して、固定部材１１は、平板形状の保持部１３と、保持部１３の一辺から延びている帯長板形状を呈する一対のフック部１５とを有している。
【００１３】
保持部１３には、幅方向である第１の方向Ｘの両側における一対の辺のそれぞれから第１の方向Ｘへ突出している複数の圧入部１３ａ，１３ｂが形成されている。一対のフック部１５は、保持部１３の第１の方向Ｘを直交する一辺から第１の方向Ｘを直交する第２の方向Ｙへ延びているバネ部１５ａと、バネ部１５ａの延在端から第２の方向Ｙへ延びているロック部１５ｂと、ロック部１５ｂの先端部分に形成されている係止部１５ｃとを有している。
【００１４】
一対のフック部１５は、第１の方向Ｘで限りなく近づくように隣り合っており、一対のフック部１５が保持部１３の板厚方向である第３の方向Ｚ（図２を参照）において、それぞれが互いに反対方向へ曲げられている。即ち、バネ部１５ａのそれぞれは、保持部１３の第１の方向Ｘを直交する一辺から保持部１３の第３の方向Ｚにおいて、保持部１３の一辺から互いに離れる向きに傾斜するように曲げられており、第２の方向Ｙへ延びている。ロック部１５ｂのそれぞれは、バネ部１５ａの延在端から互いに平行に対向するように第２の方向Ｙへ延びている。
【００１５】
係止部１５のそれそれは、第１の方向Ｘでロック部１５ｂの第１の方向Ｘの外側辺よりも外向きに突出するように延びている。即ち、係止部１５のそれそれは、第１の方向Ｘで互いに反対の向きとなるように突出している。
【００１６】
固定部材１１は、金属製の平板を打ち抜き加工した後に、一対のフック部１５のバネ部１５ａを互いに反対側へ曲げ加工を施すことによって作られている。この際、金属製の平板を打ち抜き加工した後の状態では、一対のフック部１５が一つの板状を呈するものであるが、一対のフック部１５になすように分割するために保持部１３の第１の方向Ｘを直交する一辺から第２の方向Ｙへシャー加工を施すことによって、一対バネ部１５ａ及び係止部１５ｃを含む一対のロック部１５ｃを製作する。なお、第１の方向Ｘにおける一対のフック部１５の板幅寸法は、必ずしも正確に等分割されていなくても良く、略同じ幅寸法であればよい。
【００１７】
次に、上述した固定部材１１を保持するコネクタについて説明する。コネクタ２１は、略箱形状のインシュレータ２３と、インシュレータ２３に保持されている導電性のコンタクト２５とを有している。
【００１８】
インシュレータ２３の一部には固定部２７が形成されている。固定部２７はインシュレータ２３と同じ材料、例えば、樹脂材を成形する際に同時に形成することができる。また、固定部２７は、インシュレータ２３の一対の外面のそれぞれに固定部２７としてのブロック部を設けてもよい。
【００１９】
固定部２７には、固定部材１１を保持するための固定用穴２９が形成されている。固定用穴２９は、コネクタ２１を搭載して固定する接続対象物としての基板４１に対向する設置面２７ａ側が開口しているものである。固定用穴２９は、開口から固定部材１１の保持部１３が挿入されて固定用穴２９の奥部で固定用穴２９の内壁に圧入部１３ａ，１３ｂが圧入されて保持される。この際、固定用穴２９の内部の開口側には一対のフック部１５の一部が位置しており、一対のフック部１５の係止部１５ｃ、及びフック部１５の係止部１５ｃ側の一部が固定用穴２９の外へ突き出している状態で保持されている。
【００２０】
したがって、固定用穴２９の奥部は、固定部材１１の第３の方向Ｚにおける両辺間の幅寸法と略等しい板幅寸法であるか、若干大きな板幅寸法となっており、圧入部１３ａ，１３ｂを含む保持部１３の第１の方向Ｘにおける幅寸法よりも小さい幅寸法となっている。また、固定用穴２９の開口側には、フック部１５が第３の方向へ変位可能とするように第３の方向Ｚに大きな寸法をもっており、第１の方向Ｘが圧入部１３ａ，１３ｂを含む保持部１３の幅寸法と略同じ幅寸法、もしくは圧入部１３ａ，１３ｂを含む保持部１３の幅寸法よりも若干大きな幅寸法となっている。
【００２１】
一方、基板４１は、一対のフック部１５の係止部１５ｃを貫通させるための丸穴形状の貫通穴４１ａと、インシュレータ２１から外へ延びているコンタクト２５の先端部分の端子部２５ａを挿通させる端子貫通穴４１ｂとを有している。貫通穴４１ａは、一対の係止部１５ｃの第１の方向Ｘにおける幅寸法と略同じ直径寸法、もしくは若干小さい直径寸法を有している。
【００２２】
コネクタ２１に固定部材１１が保持された状態において、基板４１上にコネクタ２１を搭載して固定するには、インシュレータ２１の設置面２７ａを基板４１に対向させ、係止部１５ｃを端子貫通穴４１ｂへ挿入する。そして、係止部１５ｃを貫通穴４１ａへ挿入する際には、一対の係止部１５ｃが貫通穴４１ａの壁に当たると、フック部１５ｂが貫通穴４１ａの壁に押されることによってバネ部１５ａが第３の方向Ｚで互いに近づく向きに変形することによって一対の係止部１５ｃが平面状に並ぶ。このとき、一対の係止部１５ｃは、貫通穴４１ａの最も大きい幅寸法である直径部分を通り抜けて基板４１の反対面へ突き抜ける。
【００２３】
その後、一対の係止部１５ｃは、バネ部１５ａの復元力によって図２及び図３に示したように元の状態に復元する。このとき、一対の係止部１５ｃは、バネ部１５ａの復元力によって平面状に並んでいる状態から互いにずれて元の状態に復元しているので、基板４１の反対面で基板４１に係止した状態となり、貫通穴４１ａからは外れることない。このように、一対の係止部１５ｃが基板４１の貫通穴４１ａの縁近傍の反対面に係止することによって、図１に示したように、コネクタ２１が基板４１に固定される。
【００２４】
また、端子部２５ａは、端子貫通穴４１ｂに挿入されて、基板４１の反対面に設けられている配線（図示せず）に半田５１によって半田接続される。なお、上述した実施の形態例では、接続対象物の一例として基板４１を採用したが、基板４１に限らず、コネクタ２１を搭載して固定することを目的とした板形状の部材であれば、どのようなものであっても固定することが可能である。
【００２５】
さらに、上述した実施の形態例において、貫通穴４１ａは丸穴としたが、一対の係止部１５ｃが貫通穴４１ａの最も大きい幅寸法である部分を通過した後に、一対のバネ部１５ａが第３の方向Ｚで互いに離れる向きで復元すればよので、楕円形の穴や多角形の穴のように設計時に自由度をもって形成される。
【００２６】
【発明の効果】
以上説明したように、本発明に係る固定部材によれば、一対のフック部におけるロック部は、基板の貫通穴に挿通して接続対象物の反対面に係止するように、第１の方向で互いに反対向きに突出している係止部となっており、一対のフック部が保持部の板厚方向である第３の方向において互いに反対向きに曲げられており、フック部が互いに隣接しているので幅方向である第１の方向に大きな幅を確保しておく必要がないため、金属板材料を有効に使用できる。
【００２７】
また、一対のフック部は、第１の方向に大きな幅を確保しておく必要がないため、基板の貫通穴も大きな穴を必要とせず、基板の配線面である反対面を有効に使用できるので、配線や電子部品を実装するのためのスペース領域も増加することができる。
【００２８】
さらに、フック部は、第１の方向に大きな幅を確保しておく必要がないため小型でシンプルな形状にすることができる。
【図面の簡単な説明】
【図１】本発明に係る固定部材の一実施の形態例示しており、固定部材をコネクタに装着し、コネクタを基板に搭載して固定した状態を示す断面図である。
【図２】図１に示した固定部材を示す側面図である。
【図３】図１に示した固定部材及び基板の一部を基板の反対面から見た状態を示す底面図である。
【図４】従来の固定部材をコネクタに装着し、コネクタを基板に搭載して固定した状態を示す断面図である。
【符号の説明】
１１，１０９    固定部材
１３，１１３    保持部
１３ａ，１３ｂ    圧入部
１５    フック部
１５ａ    バネ部
１５ｂ，１１５    ロック部
１５ｃ，１１７    係止部
２１，１００    コネクタ
２３，１０３    インシュレータ
２５，１０５    コンタクト
２７，１０７    固定部
２７ａ    設置面
２９，１１１    固定用穴
４１，２１０    基板
４１ａ，２１３    貫通穴
Ｘ    第１の方向
Ｙ    第２の方向
Ｚ    第３の方向
【図１】
2004296220.tif 000003
【図２】
2004296220.tif 000004
【図３】
2004296220.tif 000005
【図４】
2004296220.tif 000006